(57)【要約】  【課題】  サイクルスタートパケットを所定倍の速度で送出するようにして、所定倍速ダビングを行えるようにする情報記録システムを提供する。  【解決手段】  ＤＶ機器５からＤＶＤレコーダ１に画像データを転送するときにサイクルスタートパケットを所定倍の速度で送出するようにパケット速度設定手段２１１により設定し、ＤＶ機器５に記録された画像データをＤＶＤレコーダ１に所定倍速ダビングする際に、ＤＶ機器５が所定倍速ダビング機能を有しているかの判定を所定倍速ダビング機能判定手段２１２により行う。所定倍速ダビング機能を有している場合にＤＶＤレコーダ１からＤＶ機器５に対して所定倍速ダビングを行うことを通知手段２１３により通知し、前記通知により所定倍速ダビングを行うのに関係するＤＶ機器５およびＤＶＤレコーダ１の構成要素の制御を行って所定倍速ダビングを所定倍速ダビング開始手段２１４により開始させる。【選択図】      図１
2005158182.tif 000002
【特許請求の範囲】
【請求項１】
光ディスクに情報を記録したり光ディスクに記録された情報を再生したりする光ディス
ク記録再生装置と、撮像した画像を所定形式のデジタルの画像データとして出力するデジ
タルビデオ機器とが、所定のデジタルケーブルを介して接続されて構成された情報記録シ
ステムにおいて、前記デジタルビデオ機器から前記光ディスク記録装置に画像データを転
送するときに同期を保って送信するためのサイクルスタートパケットを所定倍の速度で送
出するように設定するパケット速度設定手段と、前記デジタルビデオ機器に記録された画
像データを前記光ディスク記録再生装置に所定倍速ダビングする際に、前記光ディスク記
録再生装置に接続されているデジタルビデオ機器が所定倍速ダビング機能を有しているか
否かの判定を行う所定倍速ダビング機能判定手段と、前記デジタルビデオ機器が所定倍速
ダビング機能を有していると判定された場合に、前記光ディスク記録再生装置から前記デ
ジタルビデオ機器に対して所定倍速ダビングを行うことを通知する通知手段と、前記通知
により所定倍速ダビングを行うのに関係する前記デジタルビデオ機器および前記光ディス
ク記録再生装置の構成要素の制御を行って所定倍速ダビングを開始させる所定倍速ダビン
グ開始手段とを備えたことを特徴とする情報記録システム。
【請求項２】
記録媒体に情報を記録したり記録媒体に記録された情報を再生したりする情報記録再生
装置と、記録した画像データを出力する画像データ出力装置とが、所定のデジタルケーブ
ルを介して接続されて構成された情報記録システムにおいて、前記画像データ出力装置か
ら前記情報記録再生装置に画像データを転送するときに同期を保って送信するためのサイ
クルスタートパケットを所定倍の速度で送出するように設定し、前記画像データ出力装置
に記録された画像データを前記情報記録再生装置に所定倍速ダビングする際に、所定倍速
ダビングを行うのに関係する前記画像データ出力装置および前記情報記録再生装置の構成
要素の制御を行って所定倍速ダビングを開始させることを特徴とする情報記録システム。
【請求項３】
前記画像データ出力装置から前記情報記録装置に画像データを転送するときに同期を保
って送信するためのサイクルスタートパケットを所定倍の速度で送出するように設定する
パケット速度設定手段と、前記画像データ出力装置に記録された画像データを前記情報記
録再生装置に所定倍速ダビングする際に、前記情報記録再生装置に接続されている画像デ
ータ出力装置が所定倍速ダビング機能を有しているか否かの判定を行う所定倍速ダビング
機能判定手段と、前記画像データ出力装置が所定倍速ダビング機能を有していると判定さ
れた場合に、前記情報記録再生装置から前記画像データ出力装置に対して所定倍速ダビン
グを行うことを通知する通知手段と、前記通知により所定倍速ダビングを行うのに関係す
る前記画像データ出力装置および前記情報記録再生装置の構成要素の制御を行って所定倍
速ダビングを開始させる所定倍速ダビング開始手段とを備えたことを特徴とする請求項２
に記載の情報記録システム。
【請求項４】
前記記録媒体は光ディスクであり、情報記録再生装置は光ディスク記録再生装置である
ことを特徴とする請求項２または請求項３に記載の情報記録システム。
【請求項５】
前記画像データ出力装置は、撮像した画像を所定形式のデジタルの画像データとして出
力するデジタルビデオ機器であることを特徴とする請求項２または請求項３に記載の情報
記録システム。
【発明の詳細な説明】
【技術分野】
【０００１】
本発明は、例えば、光ディスクに情報を記録したり光ディスクに記録された情報を再生
したりする光ディスク記録再生装置と、撮像した画像を所定形式のデジタルの画像データ
として出力するデジタルビデオ機器とが、所定のデジタルケーブルを介して接続されて構
成された情報記録システムに関する。
【背景技術】
【０００２】
近年、デジタルデータインタフェースとして、ＩＥＥＥ（Institute of Electrical an
d Electronics Engineers）１３９４データインタフェースが知られてきている。ＩＥＥ
Ｅ１３９４データインタフェースは、例えばＳＣＳＩなどよりもデータ転送レートが高速
であり、周知のように、所要のデータサイズを周期的に送受信することが保証されるＩｓ
ｏｃｈｒｏｎｏｕｓ通信が可能とされる。このため、ＩＥＥＥ１３９４データインタフェ
ースは、ＡＶ（Audio Visual）などのストリームデータをリアルタイムで転送するのに有
利とされている。
【０００３】
このようなＩＥＥＥ１３９４データインタフェースを用いて互いに通信を行う従来の情
報記録システムとしては、例えば、ＤＶＤ（Digital Versatile Disc）に情報を記録した
りＤＶＤに記録された情報を再生したりするＤＶＤレコーダと、撮像した画像を所定形式
のデジタルの画像データとして出力するＤＶ（Digital Video）機器とが、ＩＥＥＥ１３
９４のケーブルを介して接続されて構成されたものが知られている。ＩＥＥＥ１３９４で
は、例えば１２５マイクロ秒に一度、サイクルスタートパケットと呼ばれる時間同期用の
パケットをＩＥＥＥ１３９４のケーブルに流すことにより、そのケーブルに接続されたＤ
ＶＤレコーダとＤＶ機器間の時間同期を取ることができる。
【０００４】
このような従来の情報記録システムにおいて、ＤＶ機器に記録されている画像データを
ＤＶＤレコーダにダビングする場合、ＤＶ機器の画像データが、サイクルスタートパケッ
トに同期してＩＥＥＥ１３９４のケーブルを流れ、ＤＶＤレコーダに記録される。
【特許文献１】特開２０００−３５８０３２号公報
【特許文献２】特開２０００−３４１３０７号公報
【発明の開示】
【発明が解決しようとする課題】
【０００５】
しかしながら、ＤＶ機器に記録されている画像データをＤＶＤレコーダにダビングする
場合、ＤＶ機器の画像データが、サイクルスタートパケットに同期してＩＥＥＥ１３９４
のケーブルを流れるので、ダビングの速度はサイクルスタートパケットに依存し、これ以
上ダビングの速度を上げることができず、ダビング時間の短縮化を図ることが難しいとい
う課題があった。
【０００６】
特許文献１の従来技術では、データインタフェースの利便性の向上を図っているが、ダ
ビングについては開示されていないので、上記のような課題を解決できるものではない。
また、特許文献２の従来技術では、電子機器間で、半二重伝送路を用いてＩＥＥＥ１３９
４に順ずる信号をやり取りする時に、機器間での時間情報の不整合が発生するのを防止し
ているが、ダビングについては開示されていないので、上記のような課題を解決できるも
のではない。
【０００７】
本発明は、上記のような課題を解決するためになされたもので、サイクルスタートパケ
ットを所定倍の速度で送出するようにして、所定倍速ダビングを行えるようにする情報記
録システムを提供することを目的とする。
【課題を解決するための手段】
【０００８】
上記目的を達成するために、請求項１の発明は、光ディスクに情報を記録したり光ディ
スクに記録された情報を再生したりする光ディスク記録再生装置と、撮像した画像を所定
形式のデジタルの画像データとして出力するデジタルビデオ機器とが、所定のデジタルケ
ーブルを介して接続されて構成された情報記録システムにおいて、前記デジタルビデオ機
器から前記光ディスク記録装置に画像データを転送するときに同期を保って送信するため
のサイクルスタートパケットを所定倍の速度で送出するように設定するパケット速度設定
手段と、前記デジタルビデオ機器に記録された画像データを前記光ディスク記録再生装置
に所定倍速ダビングする際に、前記光ディスク記録再生装置に接続されているデジタルビ
デオ機器が所定倍速ダビング機能を有しているか否かの判定を行う所定倍速ダビング機能
判定手段と、前記デジタルビデオ機器が所定倍速ダビング機能を有していると判定された
場合に、前記光ディスク記録再生装置から前記デジタルビデオ機器に対して所定倍速ダビ
ングを行うことを通知する通知手段と、前記通知により所定倍速ダビングを行うのに関係
する前記デジタルビデオ機器および前記光ディスク記録再生装置の構成要素の制御を行っ
て所定倍速ダビングを開始させる所定倍速ダビング開始手段とを備えたことを特徴とする
情報記録システムを提供する。
【０００９】
この構成において、デジタルビデオ機器から光ディスク記録装置に画像データを転送す
るときに同期を保って送信するためのサイクルスタートパケットを所定倍の速度で送出す
るようにパケット速度設定手段により設定する。デジタルビデオ機器に記録された画像デ
ータを光ディスク記録再生装置に所定倍速ダビングする際に、光ディスク記録再生装置に
接続されているデジタルビデオ機器が所定倍速ダビング機能を有しているか否かの判定を
所定倍速ダビング機能判定手段により行う。デジタルビデオ機器が所定倍速ダビング機能
を有していると判定された場合に、光ディスク記録再生装置からデジタルビデオ機器に対
して所定倍速ダビングを行うことを通知手段により通知し、前記通知により所定倍速ダビ
ングを行うのに関係するデジタルビデオ機器および光ディスク記録再生装置の構成要素の
制御を行って所定倍速ダビングを所定倍速ダビング開始手段により開始させる。
【００１０】
この構成によれば、サイクルスタートパケットを所定倍の速度で送出するようにするこ
とにより、所定倍速ダビングが行えるようになって、ダビング時間の短縮化が図れる。
【００１１】
請求項２の発明は、記録媒体に情報を記録したり記録媒体に記録された情報を再生した
りする情報記録再生装置と、記録した画像データを出力する画像データ出力装置とが、所
定のデジタルケーブルを介して接続されて構成された情報記録システムにおいて、前記画
像データ出力装置から前記情報記録再生装置に画像データを転送するときに同期を保って
送信するためのサイクルスタートパケットを所定倍の速度で送出するように設定し、前記
画像データ出力装置に記録された画像データを前記情報記録再生装置に所定倍速ダビング
する際に、所定倍速ダビングを行うのに関係する前記画像データ出力装置および前記情報
記録再生装置の構成要素の制御を行って所定倍速ダビングを開始させることを特徴とする
情報記録システムを提供する。
【００１２】
この構成において、前記画像データ出力装置から前記情報記録再生装置に画像データを
転送するときに、同期を保って送信するためのサイクルスタートパケットが所定倍の速度
で送出するように設定され、前記画像データ出力装置に記録された画像データを前記情報
記録再生装置に所定倍速ダビングする際に、所定倍速ダビングを行うのに関係する前記画
像データ出力装置および前記情報記録再生装置の構成要素の制御が行われ、所定倍速ダビ
ングが開始される。
【００１３】
この構成によれば、サイクルスタートパケットを所定倍の速度で送出するようにするこ
とにより、所定倍速ダビングが行えるようになって、ダビング時間の短縮化が図れる。
【００１４】
請求項３の発明では、請求項２の発明において、前記画像データ出力装置から前記情報
記録装置に画像データを転送するときに同期を保って送信するためのサイクルスタートパ
ケットを所定倍の速度で送出するように設定するパケット速度設定手段と、前記画像デー
タ出力装置に記録された画像データを前記情報記録再生装置に所定倍速ダビングする際に
、前記情報記録再生装置に接続されている画像データ出力装置が所定倍速ダビング機能を
有しているか否かの判定を行う所定倍速ダビング機能判定手段と、前記画像データ出力装
置が所定倍速ダビング機能を有していると判定された場合に、前記情報記録再生装置から
前記画像データ出力装置に対して所定倍速ダビングを行うことを通知する通知手段と、前
記通知により所定倍速ダビングを行うのに関係する前記画像データ出力装置および前記情
報記録再生装置の構成要素の制御を行って所定倍速ダビングを開始させる所定倍速ダビン
グ開始手段とを備えたので、所定倍速ダビングが行えるようになって、ダビング時間の短
縮化が図れるようになる。
【００１５】
請求項４の発明では、請求項２または請求項３の発明において、前記記録媒体は光ディ
スクであり、情報記録再生装置は光ディスク記録再生装置であるので、画像データ出力装
置からの画像データを光ディスク記録再生装置にダビングすることが可能になる。
【００１６】
請求項５の発明では、請求項２または請求項３の発明において、前記画像データ出力装
置は、撮像した画像を所定形式のデジタルの画像データとして出力するデジタルビデオ機
器であるので、デジタルビデオ機器からの画像データを情報記録再生装置にダビングする
ことが可能になる。
【発明の効果】
【００１７】
以上のように本発明によれば、光ディスクに情報を記録したり光ディスクに記録された
情報を再生したりする光ディスク記録再生装置と、撮像した画像を所定形式のデジタルの
画像データとして出力するデジタルビデオ機器とが、所定のデジタルケーブルを介して接
続されて構成された情報記録システムにおいて、前記デジタルビデオ機器から前記光ディ
スク記録装置に画像データを転送するときに同期を保って送信するためのサイクルスター
トパケットを所定倍の速度で送出するように設定するパケット速度設定手段と、前記デジ
タルビデオ機器に記録された画像データを前記光ディスク記録再生装置に所定倍速ダビン
グする際に、前記光ディスク記録再生装置に接続されているデジタルビデオ機器が所定倍
速ダビング機能を有しているか否かの判定を行う所定倍速ダビング機能判定手段と、前記
デジタルビデオ機器が所定倍速ダビング機能を有していると判定された場合に、前記光デ
ィスク記録再生装置から前記デジタルビデオ機器に対して所定倍速ダビングを行うことを
通知する通知手段と、前記通知により所定倍速ダビングを行うのに関係する前記デジタル
ビデオ機器および前記光ディスク記録再生装置の構成要素の制御を行って所定倍速ダビン
グを開始させる所定倍速ダビング開始手段とを備えたので、サイクルスタートパケットを
所定倍の速度で送出するようにすることにより、所定倍速ダビングが行えるようになって
、ダビング時間の短縮化が図れる。
【００１８】
また、本発明によれば、記録媒体に情報を記録したり記録媒体に記録された情報を再生
したりする情報記録再生装置と、記録した画像データを出力する画像データ出力装置とが
、所定のデジタルケーブルを介して接続されて構成された情報記録システムにおいて、前
記画像データ出力装置から前記情報記録再生装置に画像データを転送するときに同期を保
って送信するためのサイクルスタートパケットを所定倍の速度で送出するように設定し、
前記画像データ出力装置に記録された画像データを前記情報記録再生装置に所定倍速ダビ
ングする際に、所定倍速ダビングを行うのに関係する前記画像データ出力装置および前記
情報記録再生装置の構成要素の制御を行って所定倍速ダビングを開始させるようにしたの
で、サイクルスタートパケットを所定倍の速度で送出するようにすることにより、所定倍
速ダビングが行えるようになって、ダビング時間の短縮化が図れる。
【発明を実施するための最良の形態】
【００１９】
以下、添付図面を参照しつつ、本発明の実施の形態について説明する。図１は本発明の
一実施形態に係る情報記録システムの構成を示すブロック図である。この情報記録システ
ムは、光ディスクであるＤＶＤ（Digital Versatile Disc）情報を記録したり、ＤＶＤに
記録された情報を再生したりするＤＶＤレコーダ１と、このＤＶＤレコーダ１にアナログ
ＡＶケーブル２を介して接続される表示装置３および音響装置６と、ＤＶＤレコーダ１に
ＩＥＥＥ（Institute of Electrical and Electronics Engineers）１３９４ケーブル４
を介して接続されるＤＶＣ（Digital Video Camera）などのＤＶ（Digital Video）機器
とを備えている。
【００２０】
図２は図１中のＤＶＤレコーダ１においてダビング動作に関係する構成要素を示すブロ
ック図である。このＤＶＤレコーダ１は、各構成要素を制御するための演算処理を行うＣ
ＰＵ部２１と、このＣＰＵ部２１の演算処理に必要なデータを記憶するメモリ部２２と、
３０フレーム／秒で構成されたＤＶ信号を処理するＤＶ処理部２３と、ＮＴＳＣ（Nation
al Television System Committee）方式によるＴＶ信号である例えばＲＥＣ６５６信号を
作成するＮＴＳＣ処理部２４と、ＩＥＥＥ１３９４処理を行うＩＥＥＥ１３９４処理部２
５と、ＩＥＥＥ１３９４のデータの転送速度の管理を行う物理的チップのＩＥＥＥ１３９
４インタフェース２６と、ＩＥＥＥ１３９４コネクタ２７とを備えている。ＮＴＳＣ処理
部２４の出力は、アナログＡＶケーブル２を介して図１に示す表示装置３および音響装置
６に接続されている。ＩＥＥＥ１３９４コネクタ２７は、ＩＥＥＥ１３９４ケーブル４を
介して図１に示すＤＶ機器５に接続されている。
【００２１】
このＤＶＤレコーダ１のＣＰＵ部２１は、ＤＶ機器５からＤＶＤレコーダ１に画像デー
タを転送するときに同期を保って送信するためのサイクルスタートパケットを所定倍の速
度で送出するように設定するパケット速度設定手段２１１と、ＤＶ機器５に記録された画
像データをＤＶＤレコーダ１に倍速ダビングする際に、ＤＶＤレコーダ１に接続されてい
るＤＶ機器５が倍速ダビング機能を有しているか否かの判定を行う所定倍速ダビング機能
判定手段２１２と、ＤＶ機器５が倍速ダビング機能を有していると判定された場合に、Ｄ
ＶＤレコーダ１からＤＶ機器５に対して所定倍速ダビングを行うことを通知する通知手段
２１３と、前記通知により所定倍速ダビングを行うのに関係するＤＶ機器５およびＤＶＤ
レコーダ１の構成要素の制御を行って所定倍速ダビングを開始させる所定倍速ダビング開
始手段２１４とを備えている。
【００２２】
図３は図１中のＤＶ機器５においてダビング動作に関係する構成要素を示すブロック図
である。このＤＶ機器５は、各構成要素を制御するための演算処理を行うＣＰＵ部３１と
、このＣＰＵ部３１の演算処理に必要なデータを記憶するメモリ部３２と、３０フレーム
／秒で構成されたＤＶ信号を処理するＤＶ処理部３３と、ＮＴＳＣ方式によるＴＶ信号で
ある例えばＲＥＣ６５６信号を作成するＮＴＳＣ処理部３４と、ＩＥＥＥ１３９４処理を
行うＩＥＥＥ１３９４処理部３５と、ＩＥＥＥ１３９４のデータの転送速度の管理を行う
物理的チップのＩＥＥＥ１３９４インタフェース３６と、ＩＥＥＥ１３９４コネクタ３７
とを備えている。ＮＴＳＣ処理部３４の出力は、アナログＡＶケーブル３８を介してＤＶ
機器５の図示しない表示部や図１に示す表示装置３などに接続することが可能である。
【００２３】
図４は本実施形態においてＤＶ機器５に記録された画像データをＤＶＤレコーダ１に倍
速ダビングする際の処理を説明するためのフローチャートである。以下、このフローチャ
ートを参照して倍速ダビングする際の処理について説明する。
【００２４】
ユーザが、ＤＶＤレコーダ１に対して倍速ダビング操作を行うと（ステップＳ１）、Ｄ
Ｖ機器５からの画像データを倍速でＤＶＤレコーダ１に転送できるようにするため、ＤＶ
機器５におけるサイクルスタートパケットの送出速度を、ＤＶＤレコーダ１に備えられる
ＣＰＵ部２１のパケット速度設定手段２１１により、倍速に設定する（ステップＳ２）。
【００２５】
次に、ＤＶＤレコーダ１に接続されているＤＶ機器５は倍速ダビング機能を有している
か否かを、ＤＶＤレコーダ１に備えられるＣＰＵ２１の倍速ダビング機能判定手段２１２
により、判定する。例えば、ＤＶ機器５にＩＥＥＥ１３９４インタフェースを搭載してい
れば、倍速ダビング機能を有することになるので、ＤＶ機器５にＩＥＥＥ１３９４インタ
フェース３６が搭載しているか否かを判定する。
【００２６】
これにより、ＤＶ機器５にＩＥＥＥ１３９４インタフェース３６を搭載して、倍速ダビ
ング機能が有れば、ＤＶＤレコーダ１のＣＰＵ部２１は、ＤＶ機器５に対して倍速ダビン
グを行うことを、通知手段２１３により通知する（ステップＳ４）。一方、ＤＶ機器５に
ＩＥＥＥ１３９４インタフェースを搭載せず、倍速ダビング機能が無ければ、ＤＶＤレコ
ーダ１に備えられるＣＰＵ部２１の通知手段２１３により、ＤＶ機器５は倍速ダビングを
有してないことを通知する（ステップＳ９）。
【００２７】
ＤＶ機器５に対して倍速ダビングを行うことを通知した（ステップＳ４）後、ＤＶ機器
５では、倍速ダビングに関係する構成要素（ＤＶ処理部３３、ＩＥＥＥ１３９４処理部３
５、ＩＥＥＥ１３９４インタフェース３６）を制御する（ステップＳ５）。そして、ＤＶ
Ｄレコーダ１のＣＰＵ部２１は、ＤＶ機器５の前記構成要素の制御が正常に行われたか否
かを判定し（ステップＳ６）、前記制御が正常に行われなかった場合は、当該ＤＶ機器５
は倍速ダビングに関する動作が異常であることを通知するが（ステップＳ１０）、前記制
御が正常に行われた場合は、ＤＶＤレコーダ１も倍速ダビングに関係する構成要素（ＤＶ
処理部２３、ＩＥＥＥ１３９４処理部２５、ＩＥＥＥ１３９４インタフェース２６）を制
御する（ステップＳ７）。この後、ステップＳ２で設定された倍速サイクルスタートパケ
ットに従って、ＤＶ機器５の画像データをＤＶＤレコーダ１に倍速で送信して、倍速ダビ
ングを開始し（ステップＳ８）、ダビングが終了すると（ステップＳ１１）、本処理は終
える。
【００２８】
以上説明した実施形態では、倍速でダビングを行う処理について説明したが、倍速に限
らず、例えば４倍速、８倍速などのダビングも可能になる場合もある。例えば、ＤＶデー
タは１秒で３０フレームで構成されているが、ＭＰＥＧのデータはデータを８分割して送
信する方式を取るため、データバスの占有率が小さい。したがって、ＭＰＥＧのデータ量
は小さいので、４倍速、８倍速のダビングでも可能になる。また、ＤＶＤレコーダの代わ
りにハードディスクレコーダを用いれば、４倍速や８倍速などのダビングも可能になるこ
とがある。また、本発明としては、ＩＥＥＥ１３９４の規格以外の規格を持つ構成要素に
対しても適用可能である。
【００２９】
以上説明した実施形態によれば、画像データ出力装置としての例えばＤＶ機器５から情
報記録再生装置としての例えばＤＶＤレコーダ１に画像データを転送するときに同期を保
って送信するためのサイクルスタートパケットを倍速で送出するように設定し、ＤＶ機器
５に記録された画像データをＤＶＤレコーダ１に所定倍速ダビングする際に、倍速ダビン
グを行うのに関係するＤＶ機器５およびＤＶＤレコーダ１の構成要素の制御を行って倍速
ダビングを開始させるようにしたので、サイクルスタートパケットを倍速で送出するよう
にすることにより、倍速ダビングが行えるようになって、ダビング時間が従来の半分にな
る。
【図面の簡単な説明】
【００３０】
【図１】本発明の一実施形態に係る情報記録システムの構成を示すブロック図である。
【図２】図１中のＤＶＤレコーダにおいてダビング動作に関係する構成要素を示すブロック図である。
【図３】図１中のＤＶ機器においてダビング動作に関係する構成要素を示すブロック図である。
【図４】前記実施形態においてＤＶ機器に記録された画像データをＤＶＤレコーダに倍速ダビングする際の処理を説明するためのフローチャートである。
【符号の説明】
【００３１】
１    ＤＶＤレコーダ（情報記録再生装置）
５    ＤＶ機器（画像データ出力装置）
２１１    パケット速度設定手段
２１２    倍速ダビング機能判定手段
２１３    通知手段
２１４    倍速ダビング開始手段
【図１】
2005158182.tif 000003
【図２】
2005158182.tif 000004
【図３】
2005158182.tif 000005
【図４】
2005158182.tif 000006